(57)【特許請求の範囲】
【請求項１】
燃料系化合物によって汚染された土壌の土壌防臭剤であって、非油溶性ローズマリー抽出物を有効成分とする土壌防臭剤。
【請求項２】
燃料系化合物によって汚染された土壌に非油溶性ローズマリー抽出物を散布することを特徴とする土壌の防臭方法。
【発明の詳細な説明】
【技術分野】
【０００１】
本発明は、土壌防臭剤および土壌の防臭方法に関する。
【背景技術】
【０００２】
土壌防臭剤は、各種の汚染土壌の除去作業を行う際に使用され、各種のものが知られている。例えば、堆積汚泥を除去する際に、当該堆積汚泥に散布して使用する脱臭剤として、塩化第二鉄を溶解成分の主体とし、適宜、塩化カルシウムを含有する散布用脱臭剤が知られている（例えば特許文献１参照）。
【０００３】
【特許文献１】特開２００３−３２６２９８号
【発明の開示】
【発明が解決しようとする課題】
【０００４】
本発明の目的は、持続性と共に即効性を有し、従来の土壌防臭剤とは全く異なる成分から成る土壌防臭剤および当該土壌防臭剤を使用した土壌の防臭方法を提供することにある。
【課題を解決するための手段】
【０００５】
本発明者らは、鋭意検討を重ねた結果、ハーブ抽出物などの植物抽出物が土壌防臭剤として極めて有効であるとの知見を得、本発明の完成に至った。
【０００６】
すなわち、本発明の第１の要旨は、燃料系化合物によって汚染された土壌の土壌防臭剤であって、非油溶性ローズマリー抽出物を有効成分とする土壌防臭剤に存し、第２の要旨は、燃料系化合物によって汚染された土壌に非油溶性ローズマリー抽出物を散布することを特徴とする土壌の防臭方法に存する。
【発明の効果】
【０００７】
本発明によれば、持続性と共に即効性を有し、従来の土壌防臭剤とは全く異なる成分から成る土壌防臭剤および当該土壌防臭剤が提供される。
【発明を実施するための最良の形態】
【０００８】
以下、本発明を詳細に説明するが、以下に記載する構成要件の説明は、本発明の実施態様の代表例であり、これらの内容に本発明は限定されるものではない。
【０００９】
本発明の土壌防臭剤は植物抽出物を有効成分とする。植物抽出物としては、ローズマリー、レモングラス、スペアミント、ハッカ、セージ、タイム、ジンジャー等のハーブ抽出物が挙げられるが、特に、ローズマリー、レモングラス及びジンジャーが好ましく、ローズマリーが防臭効果の点から最も好ましい。
【００１０】
一般に、植物抽出物は、葉、茎を乾燥し、ヘキサン、酢酸エチル、エタノール、エーテル、アルカリ水、中性の水、酸性水、または、これらの混合液を使用して抽出することが出来る。また、超臨界二酸化炭素を使用して抽出することも出来る。好ましくは、ヘキサン、ヘキサン／エタノール、エタノール、エタノール／水を使用して抽出する。通常、植物１ｋｇに対し、１０倍量の上記の溶媒で、５〜６０℃で攪拌抽出し、ろ過してろ液を得る。更に、残渣を同様の溶媒で、数回繰り返してろ液を得る。これらのろ液を合わせて減圧濃縮し、植物抽出物を得る。
【００１１】
本発明の土壌防臭剤に使用する植物抽出物は、非油溶性植物抽出物が好ましく、特に非油溶性ローズマリー抽出物が好ましい。本発明において、非油溶性とは３０℃でのヘキセンの溶解度が５０ｇ／Ｌ未満であることを意味する。
【００１２】
カルノソール及びカルノジック酸は、ローズマリーの非水溶性抽出物として得られ、その製法の一例は次の通りである。先ず、前述の水溶性抽出物の場合と同様に、含水エタノールで抽出し、当該抽出液に水を添加して非水溶性成分を析出させ、活性炭を加えて撹拌した後、非水溶性成分と活性炭との混合物を分離し、得られた混合物をエタノールで抽出処理し、得られた抽出液からエタノールを留去し、粉末状の濃縮物として、カルノソール及びカルノジック酸を得る。その詳細は、特公昭５９−４４６９号公報の記載を参照することが出来る。
【００１３】
本発明においては、上記の植物抽出物と共に、本発明の土壌防臭剤の効果を損なわない他の成分を併用することが出来る。
【００１４】
上記の他の成分としては、ポリグリセリンラウリン酸エステル、ポリグリセリンミリスチン酸エステル、ポリグリセリンパルミチン酸エステル、ポリグリセリンステアリン酸エステル、ポリグリセリンオレイン酸エステル等のポリグリセリン脂肪酸エステル、ショ糖ラウリン酸エステル、ショ糖ミリスチン酸エステル、ショ糖パルミチン酸エステル、ショ糖ステアリン酸エステル、ショ糖オレイン酸エステル等のショ糖脂肪酸エステル等が挙げられる。
【００１５】
また、糖類、糖アルコール、水溶性酸化防止剤なども併用できる。糖類としては、グルコース、ショ糖、オリゴ糖などが挙げられ、糖アルコールとしては、オリゴトース、トレハロース、キシリトール、エリスリトール等が挙げられ、水溶性酸化防止剤としては、ビタミンＣ、アスコルビン酸、イソアスコルビン酸またはそれらの塩（例えば、アルカリ金属塩、アルカリ土類金属塩など）、カテキン類、カテキン類含有天然抽出物などが挙げられる。
【００１６】
上記の併用成分は、植物抽出物に対し、通常５０重量％以下の割合で使用される。
【００１７】
本発明の土壌防臭剤が適用される汚染土壌は、特に制限されず、例えば、堆積汚泥の除去、油田、ガソリンスタンド等の汚染土壌が挙げられる。汚染の種類としては少量で不快な臭気を発生させる汚染が対象となる。例えばガソリンスタンドでは多くのスタンドでガソリンの漏洩が知られている。ガソリンでは定量下限値未満（いわゆる不検出：四塩化炭素抽出―ＩＲ吸光法では１０ｍｇ／ｋｇまたは２０ｍｇ／ｋｇ未満）の土壌濃度であっても不快なガソリン臭が強く発生する。対象となる汚染物質にはガソリン、灯油、軽油、重油がある。
【００１８】
本発明の土壌防臭剤の施用方法は、従来の土壌防臭剤と同じであり、汚染土壌に注入または散布する方法が挙げられる。散布する機械としては高圧洗浄器などを使用するのがよい。
【００１９】
ガソリンスタンドの地下タンク撤去時の使用に当たっては、バックホウでの土壌の掘削や地下タンクの地中からの引き上げ時に、油臭を発生させている土壌や地下タンクに対して直接散布する。また、対象範囲に井戸がある場合には、防臭剤は井戸から注入してもよい。注入井戸を新設する場合は、油臭が生じている土壌の範囲（平面と深さ）を特定し、その範囲をカバーするように直径２〜５ｃｍ程度の注入用井戸を０．５〜２ｍ間隔で設置する。注入井戸の設置には、打撃式のボーリング機械を使用する。注入用井戸には、防臭剤を注入する深さにスクリーンを設置する。注入は防臭剤を調整したタンクと注入井戸をホースで連結し、ポンプ（市販の動力噴霧器などが使用可能）を使用して所定の流量で井戸を通じて対象土壌などに送り込む。土壌防臭剤の施用量は、汚染土壌の汚染（臭気）の程度によって適宜決定される。因みに、ガソリンスタンドの地下タンク撤去時の使用に当たっては、一基の地下タンク（長さ７ｍ、直径２ｍ程度）を撤去する際に使用する防臭剤（調整済み）の量は１００〜２００リットルである。
【００２０】
臭気の測定方法としては、サンプルから発生する揮発成分を分析する手法が使用される。従来は、ＧＣ−ＭＳを測定していたが、最近は、試料管にサンプルを入れ、上部の空間部分の揮発成分を直接測定する、ヘッドスペース法が使用される。この方法を使用することにより、ＧＣ−ＭＳで全ての揮発成分を分析できる。臭気の同定は、臭気成分のトータルイオンクロマトグラムから解析することが出来る。
【実施例】
【００２１】
以下、本発明を実施例および試験例によって更に詳細に説明するが、本発明は、その要旨を超えない限り、以下の実施例に限定されるものではない。なお、以下の諸例においては、ローズマリー抽出物（三菱化学フーズ株式会社製「ＲＭキーパーＭＥＴＡＣ」）を有効成分とする土壌防臭剤を使用した。
【００２２】
実施例１：
過去にガソリンの漏洩のあったガソリンスタンド跡地の地表から深度マイナス３ｍ付近の土壌を掘削したところ、著しい油臭が認められた。「ＲＭキーパーＭＥＴＡＣ」を水道水で１０倍に希釈して溶液を調製し、油臭の認められる土壌約１０００ｃｍ３に対して約１００ｍｌを略均等に添加し、軽く混合したところ、油臭は殆ど感じないレベルまで低減した。未処理土壌と「ＲＭキーパーＭＥＴＡＣ」で処理した土壌（１０ｇ）をサンプル管に採り、ヘッドスペースガスクロマトグラフィー（Ａｇｉｌｅｎｔ６８９０ＧＣ）により測定し、汚染土壌の臭気である、脂肪族炭化水素および芳香族炭化水素の臭気強度を無添加１００として比較することにより評価した。結果を表１に示す。
【００２３】
【表１】
0005140912.tif 000002
【００２４】
試験例１（土壌中の水の防臭化試験）：
実施例１で得た「ＲＭキーパーＭＥＴＡＣ」添加土壌と無添加土壌中の水分を採取し、「ＲＭキーパーＭＥＴＡＣ」添加した場合の臭気の持続力をヘッドスペースガスクロマトグラフィーにより測定した。そして、トルエン、トリメチルベンゼン、ナフタレンの臭気強度を無添加１００として比較することにより評価した。結果を表２に示す。
【００２５】
【表２】
0005140912.tif 000003
【００２６】
試験例２（モデル土壌の防臭化試験）：
「ＲＭキーパーＭＥＴＡＣ」、セージ抽出物（ＤＤＦ社製）、市販脱臭剤「ファブリーズ」（Ｐ＆Ｇ社製）使用してモデル土壌の防臭化試験を行った。「ＲＭキーパーＭＥＴＡＣ」とセージ抽出物（ＤＤＦ社製）は水道水でそれぞれ１０倍に希釈して使用した。非汚染土壌に０．５重量％の石油を添加してモデル土壌を調製し、モデル土壌約１０００ｃｍ３に対して上記の各土壌防臭剤約１００ｍｌを略均等に添加し、軽く混合し、官能比較を行った。結果を表３に示す。
【００２７】
【表３】
0005140912.tif 000004